(57)【要約】 【課題】  低コストでストッパ受けの増強を図る。【解決手段】  本体１０内に、前面に出入口２３を設けた収納室２５が上下２段に設けられ、扉５１を備えたドロワ５０が、ガイドローラ７０を収納室２５の左右両側に配された固定レール３４に、支持ローラ４４をドロワ５０に設けられた可動レール５８に沿ってそれぞれ転動させつつ出し入れされる。ドロワ５０の奥側の底面に設けられたストッパ７３が、両固定レール３４の出入口２３側の端部間に渡されたストッパ受け４０に当たることで、ドロワ５０の引き出しが規制される。このストッパ受け４０が、細長い板状で幅方向の中央部に凹溝４３が設けられた断面形状に形成されている。ストッパ受け４０を一枚物としながらも高強度にでき、製造コストの低減が図られる。凹溝４３に食材等から出た水滴等が貯められ、ドロワ５０の扉５１側に向けて流れることが規制される。【選択図】  図２
2005147519.tif 000002
【特許請求の範囲】
【請求項１】
貯蔵庫本体内には前面に出入口を設けた収納室が設けられ、この収納室の左右両側には、前後方向を向いた固定レールと、前記出入口側に支持ローラとが設けられるとともに、
前記出入口を開閉する扉を備えて前記収納室内に収納可能なドロワが設けられ、このドロワには、奥側に前記固定レールと係合可能なガイドローラと、前記支持ローラと係合可能で前後方向を向いた可動レールとが設けられ、
前記ガイドローラが前記固定レールに、また前記支持ローラが前記可動レールに沿ってそれぞれ転動しつつ前記ドロワが出し入れされ、
かつ、前記ドロワの奥側に設けられたストッパが、前記両固定レールの前記出入口側の端部間に渡されたストッパ受けに当たることで、前記ドロワの引き出しが規制されるようにした冷却貯蔵庫において、
前記ストッパ受けが、細長い板状で幅方向の中央部に凹部が設けられた断面形状に形成されていることを特徴とする冷却貯蔵庫。
【請求項２】
前記ストッパ受けにおける前記凹部の外底面が、前記出入口の下面に載置されていることを特徴とする請求項１記載の冷却貯蔵庫。
【発明の詳細な説明】
【技術分野】
【０００１】
本発明は、ドロワ式の冷却貯蔵庫に関する。
【背景技術】
【０００２】
従来ドロワ式冷蔵庫の一例として、特許文献１に記載されたものが知られている。このものは、冷蔵庫の本体内に、前面に出入口を設けた収納室が複数並んで設けられるとともに、出入口を開閉する扉を備えて各収納室内に収納可能なドロワが同数備えられる。各収納室の左右両側には、前後方向を向いた固定レールと、出入口側に支持ローラとが設けられる一方、各ドロワには、奥側に固定レールと係合可能なガイドローラと、支持ローラと係合可能で前後方向を向いた可動レールとが設けられており、ガイドローラが固定レールに、また支持ローラが可動レールに沿ってそれぞれ転動しつつ、ドロワが収納室に対して出し入れされるようになっている。
【０００３】
また、ドロワの例えば奥側の底面にストッパが設けられる一方、上記した両固定レールの出入口側の端部間にストッパ受けが渡されて設けられ、ストッパがストッパ受けに当たることで、ドロワの引き出しが規制されるようになっている。なおストッパ受けは、固定レールをユニット化した場合に、両固定レールの奥側の端部間に渡した連結部材とともに、ユニットを堅固な四枠フレームに構成することにも機能している。
【特許文献１】登録実用新案第２５６８３２９号公報
【発明の開示】
【発明が解決しようとする課題】
【０００４】
ところで上記したストッパ受けには、従来細長い金属板が使用されていたが、ドロワを急速度で引き出した場合などには、ストッパが強く当たることで変形を招くおそれがあった。またストッパ受けは、ドロワを引き出した際の荷重受けとしても機能するため、これも変形要因の一つとなっている。そのため、ストッパ受けに補強板を重ねてスポット溶接する等により、ストッパ受けの増強を図ることも一部で行われていたが、別部材として補強板が必要であるし、溶接の工程も余分に必要であるために製造コストが高くつくという問題があり、さらなる改良が切望されていた。  
本発明は上記のような事情に基づいて完成されたものであって、その目的は、低コストでストッパ受けの増強を図るところにある。
【課題を解決するための手段】
【０００５】
上記の目的を達成するための手段として、請求項１の発明は、貯蔵庫本体内には前面に出入口を設けた収納室が設けられ、この収納室の左右両側には、前後方向を向いた固定レールと、前記出入口側に支持ローラとが設けられるとともに、前記出入口を開閉する扉を備えて前記収納室内に収納可能なドロワが設けられ、このドロワには、奥側に前記固定レールと係合可能なガイドローラと、前記支持ローラと係合可能で前後方向を向いた可動レールとが設けられ、前記ガイドローラが前記固定レールに、また前記支持ローラが前記可動レールに沿ってそれぞれ転動しつつ前記ドロワが出し入れされ、かつ、前記ドロワの奥側に設けられたストッパが、前記両固定レールの前記出入口側の端部間に渡されたストッパ受けに当たることで、前記ドロワの引き出しが規制されるようにした冷却貯蔵庫において、前記ストッパ受けが、細長い板状で幅方向の中央部に凹部が設けられた断面形状に形成されている構成としたところに特徴を有する。  
請求項２の発明は、請求項１に記載のものにおいて、前記ストッパ受けにおける前記凹部の外底面が、前記出入口の下面に載置されているところに特徴を有する。
【発明の効果】
【０００６】
＜請求項１の発明＞
ストッパ受けが、細長い板材に対して幅方向の中央部に凹部が設けられた断面形状に形成され、断面係数が大きくなることで増強が図られる。ストッパ受けを一枚物としながらも高強度にできるから、別に補強部材を備えた場合と比較すると、部品点数並びに溶接等の作業工数の削減ができ、もって製造コストの低減を図ることができる。  
また、食材等から出た水滴等が凹部内に貯められて、ドロワの扉側に向けて流れることが規制される。そのため、扉の裏面に装着されたパッキンに水分が付着することが規制されて、その耐用寿命を延ばすことができる。併せて、出入口の口縁から水等が垂れるといったことも極力防がれる。  
＜請求項２の発明＞
固定レールに作用するドロワ側の荷重の一部が、ストッパ受けを介して出入口の下面で受けられる。ひいては、固定レールの耐荷重を増加することができる。
【発明を実施するための最良の形態】
【０００７】
以下、本発明の一実施形態を図１ないし図１０に基づいて説明する。  
この実施形態の冷蔵庫はドロワ５０を２個備えた形式であって、図１及び図２に示すように、断熱箱体からなる横長の冷蔵庫本体１０を備えている。断熱箱体は、ともにステンレス鋼板からなる内箱１２と外箱１３とが間隔を開けて組み合わされるとともに、図５に示すように、両箱１２，１３の開口縁の間が合成樹脂製のジョイナ１４で結合されることによって、前面に方形の開口部１５が形成された中空の外殻体１６が形成され、この外殻体１６内に発泡ウレタン樹脂等の発泡樹脂からなる断熱材１７が発泡充填されて形成されている。
【０００８】
上記した開口部１５の中央高さ位置には、仕切枠１８が嵌められている。仕切枠１８は、図７に示すように、チャンネル形をなすステンレス鋼板製の内装板１９と外装板２０とを互い向き合わせるとともに、両板１９，２０における上下の対向縁の間をそれぞれジョイナ１４で結合することで角筒状をなす外殻体２１が形成され、この外殻体２１内に、同じく発泡樹脂等から予め成形された断熱材１７Ａが嵌められて形成されている。この仕切枠１８が上記のように開口部１５の中央高さ位置に嵌められて固定されることで、横長の方形状をなす上下２個の出入口２３が形成されている。出入口２３の上下左右の全周面には、ジョイナ１４が装着された状態となる。  
上下の出入口２３の奥側に対応する庫内の空間が、それぞれドロワ５０の収納室２５とされ、詳しくは後記するように、上下の収納室２５に対して、それぞれドロワ５０が出入口２３を通して引き出し可能に収納されている。なお、上下の収納室２５の間には仕切りがあるわけではなく、互いに連通している。
【０００９】
上記のような本体１０が、底面の四隅に設けられた脚２６によって支持されている。また本体１０の正面から見た左側部には機械室２７が設けられ、その中に、冷凍装置（図示せず）が収納されている。  
一方、本体１０内における機械室２７と隣接した側の壁面には、ほぼ中央高さ位置に吸込口２８が、上部位置に吹出口２９が設けられており、詳しい構造の説明は省略するが、冷凍装置と庫内ファンが駆動されると、庫内空気が吸込口２８から吸い込まれて機械室２７内に画成された冷却器室内に導かれ、そこに収容された冷却器を流通する間に熱交換によって冷気が生成され、この冷気が吹出口２９から庫内に吹き出されるといった循環流通がなされることで、庫内すなわち両収納室２５が冷却されるようになっている。
【００１０】
次に、ドロワ５０の収納構造について説明する。まず、庫内側に配される上下２個のレールユニット３０が設けられている。  
このレールユニット３０は、図３に示すように、全体として四枠のフレーム状に組み付けられている。詳細には、対向して配される左右一対のレールベース３１を備えており、このレールベース３１は、図６及び図７に示すように全体として方形状をなし、上下両端部に、外側に段差状に引っ込むように曲げ形成された取付板３３が設けられている。
【００１１】
レールベース３１の中央部における膨出部３２の上部位置からは、それぞれ固定レール３４が片持ち状に延出して取り付けられている。この固定レール３４は、図２に示すように、出入口２３から本体１０内の背面壁にまで達する長さを有し、また図６に示すように、やや縦長の六角筒における内側の縦面を開放したような断面形状に形成されている。なお、固定レール３４の手前側の端部では、後記するガイドローラ７０を導入するために下面に切除部３５が形成されている。このような固定レール３４の手前側の端部が、レールベース３１の膨出部３２の上部位置に溶接により固定され、上記のように片持ち状で奥側に延出して配されている。  
両固定レール３４は、出入口２３の横幅寸法とほぼ等しい所定間隔を開けて互いに平行に配され、両固定レール３４の奥端側の間には、例えばチャンネル材からなる連結板３６が渡されて、溶接等によって固定されている。
【００１２】
さて、両レールベース３１の間には、ストッパ受け４０が差し渡されている。このストッパ受け４０は、後記するようにドロワ５０に設けられたストッパ７３を受けることに機能する一方、実質的に両固定レール３４の手前側の端部間を所定間隔を開けて連結することに機能している。  
ストッパ受け４０は、図４に示すように、細長い金属板製であって、長さ方向の両端に取付板４１が立ち上がり形成されている。また、ストッパ受け４０の手前の縁部には、当て板４２が下向きに直角曲げされて形成されている。そして、ストッパ受け４０の幅方向の中央部には、凹溝４３が全長にわたって形成されている。この凹溝４３は、図７に示すように、開口から底面側に向けて次第に幅が狭くなる断面形状となっており、凹溝４３の外底面は、上記した当て板４２の下端位置と同じ位置まで凹んでいる。
【００１３】
ストッパ受け４０の両取付板４１の対向する面には、手前側に寄った位置にそれぞれ支持ローラ４４が回転可能に軸支されている。ストッパ受け４０は、両レールベース３１における膨出部３２の手前側の下部位置に差し渡され、取付板４１が膨出部３２に溶接により固定されている。このとき、図７に示すように、ストッパ受け４０における当て板４２の下端部と凹溝４３の底部とが、レールベース３１の下縁よりも下方に突出している。また、支持ローラ４４は、固定レール３４の手前側の端部の直下に位置することになる。以上により、四枠のフレーム状をなすレールユニット３０が形成されている。
【００１４】
上記の両レールユニット３０を取り付ける当たっては、図５に示すように、庫内の右側壁（内箱１２）が出入口２３の右側面と面一に形成されており、その右側壁における出入口２３側に寄った所定領域において、裏面のほぼ全高に補強板４６が重ねられて埋設されている。  
一方、出入口２３の左端の直ぐ奥にはレールマウント４７が立てられている。このレールマウント４７はチャンネル材からなり、出入口２３の直ぐ奥において、取付面が出入口２３の左側面と面一となる向きで立てられ、上下両端に設けられた取付板４８（図２参照）を、庫内の天井壁と底壁にそれぞれねじ止めすることによって固定されている。
【００１５】
各レールユニット３０は出入口２３から収納室２５内に入れられ、奥側の連結板３６が庫内の奥壁に当てられてねじ止めにより固定される。一方手前側の端部では、ストッパ受け４０の当て板４２と凹溝４３の外底面とが出入口２３の下面（ジョイナ１４）に載せられる。このとき、右側のレールベース３１が出入口２３の右側面から庫内の右側壁にわたって当てられ、上下の取付板３３が右側壁から補強板４６に対してねじ４９で止められる。一方、左側のレールベース３１が出入口２３の左側面からレールマウント４７にわたって当てられ、上下の取付板３３がレールマウント４７に対して同じくねじ４９で止められる。  
これにより、上下の収納室２５の左右両側には、一対の固定レール３４が出入口２３から奥壁にわたって互いに対向して配され、また固定レール３４の手前側の端部の直下に支持ローラ４４が配された状態となる。
【００１６】
ドロワ５０は大まかには、図２及び図８に示すように、扉５１の裏面側に、上面側からホテルパンＡを収納可能な枠体部５５を設けた構造である。扉５１は断熱性であって、上記した収納室２５の出入口２３を前面から開閉可能となっており、その表面には取手５２が設けられているとともに、裏面の周縁には、出入口２３の表面側の口縁に密着してシールするパッキン５３が装着されている。  
枠体部５５の構造については、扉５１の裏面から左右一対のＬ型ブラケット５６が突設され、各ブラケット５６の外面の下部側には、可動レール５８が奥側を向いた片持ち状に取り付けられている。可動レール５８は、枠体部５５のほぼ全長にわたる長さを有し、図６に示すように、縦板５９の上縁に山形断面の溝板６０を設け、また下縁には内方に向けて曲げ形成した受け板６１を設けた形状である。なお、可動レール５８の奥側の端部では、上記した支持ローラ４４を導入するために、溝板６０の切除部６２が形成されている（図２参照）。
【００１７】
一方、両Ｌ型ブラケット５６の外面の上部側には、左右一対のフレーム６４が、同じく奥側に向けた片持ち状に取り付けられている。両フレーム６４の手前側と奥側の端部には連結部材６５が差し渡されて補強されている。  
上記した両可動レール５８における手前側の端部には、連結部材６６が差し渡されて補強されている。また、両可動レール５８における奥側の端部の間には、前方に開口した箱形をなす取付体６８が嵌められて固定されている。  
枠体部５５内には上記のようにホテルパンＡが入れられ、底面の左右両側縁が可動レール５８の受け板６１に載せられ、また左右のフランジがフレーム６４の上縁に引っ掛けられた状態で収納されるようになっている。
【００１８】
上記した取付体６８の左右の側面における上部位置には、ガイドローラ７０が回転可能に軸支されている。言い換えるとガイドローラ７０は、可動レール５８の奥側の端部、すなわち溝板６０の切除部６２のほぼ直上に位置している。  
また、取付体６８の底板７２の前縁には、ストッパ７３が形成されている。詳細にはストッパ７３は、底板７２の幅方向の中央部において、前面に開口した鈎形断面となって下方に突出するように曲げ形成されている。後記するように、このストッパ７３内に、ストッパ受け４０の奥縁が前方から進入可能となっている。
【００１９】
続いて、本実施形態の作動を説明する。  
ドロワ５０を装着する場合は、図２の下段側に示すように、その奥端側を出入口２３に挿入し、固定レール３４と可動レール５８の端部の切除部３５，６２を利用しつつ、ドロワ５０のガイドローラ７０を収納室２５側の固定レール３４に嵌め、収納室２５側の支持ローラ４４をドロワ５０の可動レール５８に嵌めてこれを受ける。そして扉５１を押すと、ガイドローラ７０が固定レール３４に、また支持ローラ４４が可動レール５８に沿ってそれぞれ転動しつつ、ドロワ５０が収納室２５内に押し込まれ、最後は、図９に示すように、パッキン５３が出入口２３の表面側の口縁に密着しつつ扉５１が出入口２３を閉じる。これにより、ホテルパンＡ内に入れた食材等が冷却保存される。
【００２０】
一方、ドロワ５０を引き出す場合は、扉５１の取手５２を持って手前に引くと、ガイドローラ７０と支持ローラ４４とが、それぞれ固定レール３４と可動レール５８に沿って上記とは逆回転で転動しつつドロワ５０が手前に引き出され、ホテルパンＡに対して食材等を出し入れすることができる。このとき、ホテルパンＡの奥側に食材を出し入れしたい場合は、ドロワ５０を手前に大きく引き出すことになるが、ホテルパンＡの全長が出入口２３から出る程度までドロワ５０が引き出されると、図２の上段及び図１０に示すように、ドロワ５０の奥側の底面のストッパ７３が前方に移動することに伴い、ストッパ受け４０の奥縁がストッパ７３内に入りつつストッパ７３を突き当て、ドロワ５０がそれ以上引き出されることが規制される。
【００２１】
ここでドロワ５０を急速に引いた場合、特にホテルパンＡに食材等が多量に入れられているときには、ドロワ５０側のストッパ７３が、板状のストッパ受け４０に対して強く当たることになるが、ストッパ受け４０は板状でありながらも幅方向の中央部に凹溝４３が設けられた断面形状であって、断面係数が大きくなることで増強が図られているから、変形等を起こすおそれがない。  
また、食材から出た水滴や汁が出入口２３の下面に降り懸かった場合、ストッパ受け４０の凹溝４３に溜まり、例えば扉５１側に向けて流れることが規制される。なおドロワ５０を外せば、ストッパ受け４０の凹溝４３も開放されるから、水等が溜まっていれば拭き取ればよい。
【００２２】
以上のように本実施形態によれば、ストッパ受け４０を、細長い金属板における幅方向の中央部に凹溝４３を設けた形状とすることによって、一枚物でありながらも高強度が実現でき、別に補強部材を備えた場合と比較すると、部品点数並びに溶接等の作業工数の削減ができ、もって製造コストの低減を図ることができる。また、ストッパ受け４０が一枚物で済むということは、このストッパ受け４０を組み付けたレールユニット３０が軽量化でき、収納室２５への取り付けの作業がしやすくなる。
【００２３】
また、ストッパ受け４０の凹溝４３により食材から出た水滴等が貯められることで、これがドロワ５０の扉５１側に向けて流れることが規制される。そのため、扉５１の裏面に装着されたパッキン５３に水分が付着することが規制されて、その耐用寿命を延ばすことができる。併せて、出入口２３の口縁から水等が垂れるといったことも極力防ぐことができる。
【００２４】
さらに、固定レール３４と一体的に設けられたストッパ受け４０が、その前縁の当て板４２と、凹溝４３の外底面とを出入口２３の下面（ジョイナ１４）に載せた状態で取り付けられているから、固定レール３４に作用するドロワ５０側の荷重の一部が、ストッパ受け４０を介して出入口２３の下面、すなわち本体１０か仕切枠１８によって受けられ、固定レール３４への負担を小さく押さえることができる。その結果、固定レール３４をさほど堅牢なものとする必要が無く、またレールユニット３０を庫内の壁面やレールマウント４７に取り付ける部分の構造を、必要以上に強固としなくても済む。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）ストッパ受けに形成する凹溝は全長にわたる１本に限らず、複数の短寸のものを間隔を開けて形成するようにしてもよい。  
（２）ドロワの配置は、縦方向に３段以上、また横方向に２列以上設けられていてもよい。横方向に２列以上設けられている場合、各列の間の位置でレールユニットを支持する手段としては、上記実施形態に例示したレールマウントを使用すればよい。  
【図面の簡単な説明】
【００２６】
【図１】本発明の一実施形態に係る冷蔵庫の外観斜視図
【図２】ドロワを引き出した状態及び収納前の状態を示す縦断面図
【図３】レールユニットの平面図
【図４】ストッパ受けの斜視図
【図５】ドロワが収納された状態の出入口付近の平断面図
【図６】その正面から見た横断面図
【図７】出入口付近の拡大縦断面図
【図８】ドロワの平面図
【図９】両ドロワが収納された状態の冷蔵庫の縦断面図
【図１０】ドロワが引き出された状態の出入口付近の拡大縦断面図
【符号の説明】
【００２７】
１０…冷蔵庫本体  １４…ジョイナ  ２３…出入口  ２５…収納室  ３０…レールユニット  ３４…固定レール  ４０…ストッパ受け  ４３…凹溝（凹部）  ４４…支持ローラ  ５０…ドロワ  ５１…扉  ５３…パッキン  ５８…可動レール  ６８…取付体  ７０…ガイドローラ  ７３…ストッパ
【図１】
2005147519.tif 000003
【図２】
2005147519.tif 000004
【図３】
2005147519.tif 000005
【図４】
2005147519.tif 000006
【図５】
2005147519.tif 000007
【図６】
2005147519.tif 000008
【図７】
2005147519.tif 000009
【図８】
2005147519.tif 000010
【図９】
2005147519.tif 000011
【図１０】
2005147519.tif 000012